(57)【要約】【課題】  メモリ内に高解像度の画像と低解像度の画像（サムネイル画像）とが格納されている場合に、画像を一覧表示するにあたり、自然な表示態様で一覧表示しつつも低解像度の画像を高解像度の画像とユーザが誤認する可能性を減らす。【解決手段】  デジタルカメラ２等の画像メモリ２４から画像プリント装置１のメモリ１２にコピーした画像データについて、画像特定部１４が、これらのうち高解像度画像の画像データを特定し、グループ化表示部１６が、それぞれの画像データに基づく縮小画像を生成して、これら縮小画像のうち画像特定部１４で特定した画像データに対応する縮小画像を他（低解像度）の画像データに対応する縮小画像に優先して一覧表示した画像選択画面を、ユーザ・インタフェース（ＵＩ）１７に提示させる。【選択図】  図１
2007311885.tif 000002
【特許請求の範囲】
【請求項１】
画像を表示する画像表示装置において、
複数の画像を記憶する記憶手段と、
前記記憶手段に記憶された画像から所定の解像度の基準値より高解像度である画像を特定する画像特定手段と、
前記特定した高解像度の画像を前記記憶手段に記憶された他の画像に優先して一覧表示するグループ化表示手段と、
を備えたことを特徴とする画像表示装置。
【請求項２】
請求項１に記載の画像表示装置において、
前記記憶手段は、所定の解像度の基準値より高解像度の画像とその他の画像とを分別して記憶し、
前記画像特定手段は、前記分別に従って所定の解像度の基準値より高解像度の画像を特定することを特徴とする画像表示装置。
【請求項３】
請求項１に記載の画像表示装置において、
各画像は、当該画像の解像度を示す情報を有し、
前記画像表示装置は、画像間で互いの表示内容が同一性を有するかを判定する同一性判定手段を備え、
前記グループ化表示手段は、前記同一性判定手段により同一性を有すると判定された画像のうち高解像度の画像を優先して表示することを特徴とする画像表示装置。
【請求項４】
請求項１乃至請求項３のいずれか１項に記載の画像表示装置において、
前記グループ化表示手段は、出力する対象の画像をユーザが選択するために一覧表示することを特徴とする画像表示装置。
【請求項５】
画像を出力する画像出力装置において、
複数の画像を記憶する記憶手段と、
前記記憶手段に記憶された画像から所定の解像度の基準値より高解像度である画像を特定する画像特定手段と、
前記特定した高解像度の画像を前記記憶手段に記憶された他の画像に優先して一覧表示するグループ化表示手段と、
前記一覧表示した画像のうち出力対象とする画像の選択をユーザから受け付ける画像選択受付手段と、
前記選択された画像を出力する出力手段と、
を備えたことを特徴とする画像出力装置。
【請求項６】
画像表示装置により画像を表示させる処理をコンピュータを用いて行うプログラムにおいて、
複数の画像を記憶するよう制御する記憶制御手段と、
前記記憶制御機能により記憶された画像から所定の解像度の基準値より高解像度である画像を特定する画像特定機能と、
前記特定した高解像度の画像を前記記憶手段に記憶された他の画像に優先して一覧表示するグループ化表示機能と、
を前記コンピュータに実行させることにより構成する画像表示プログラム。
【請求項７】
画像出力装置により画像を出力させる処理をコンピュータを用いて行うプログラムにおいて、
前記コンピュータには、画像の出力を行う出力手段が設けられており、
複数の画像を記憶するよう制御する記憶制御機能と、
前記記憶制御機能により記憶された画像から所定の解像度の基準値より高解像度である画像を特定する画像特定機能と、
前記特定した高解像度の画像を前記記憶手段に記憶された他の画像に優先して一覧表示するグループ化表示機能と、
前記一覧表示した画像のうち出力対象とする画像の選択をユーザから受け付けて、当該選択された画像を前記出力手段により出力させる画像選択受付機能と、
を前記コンピュータに実行させることにより構成する画像出力プログラム。
【発明の詳細な説明】
【技術分野】
【０００１】
メモリに記憶されている画像を一覧表示する技術に関し、特に、メモリ中に解像度の異なる画像を記憶している場合に一覧表示する技術に関する。
【背景技術】
【０００２】
近年、デジタルカメラの普及に伴い、デジタルカメラで撮影した写真のプリント処理を簡易な操作で行える写真プリント装置が開発されている。
写真プリント装置は、例えば、デジタルカメラで撮影した写真の画像データを格納した記録メディア等が装填されると、当該記録メディア中の写真画像を読み取って選択可能に一覧表示し、選択された写真をプリント出力する機能を有しているため、ユーザは所望の写真を選択してプリントさせることができる。
【０００３】
ここで、画像の解像度によって表示を変える発明として、記録媒体に記録された画像データの画素数を検知し、該検知した画素数と画像を印画又は表示する機器が必要とする画素数とに基づいて観賞する画像の画質の良否を判定し、該判定結果をプリント画像選択画面のサムネイル画像群の枠を色分けする手段等を用いて分類表示するようにすることで、写真画像データの画質、画素、解像度についての専門知識がないユーザであっても、プリントサイズに合った解像度を持つ画像ファイルを容易に選択可能とした発明が提案されている（特許文献１参照。）。
【特許文献１】特開２００１−０３６８４３号公報
【発明の開示】
【発明が解決しようとする課題】
【０００４】
デジタルカメラは、写真撮影に応じて生成した画像データを記録メディアに格納する際に、その縮小版（いわゆるサムネイル画像）の画像データの生成も行って記録メディア内に格納している。このサムネイル画像は、デジタルカメラの液晶画面に撮影写真の画像を速やかに表示するために用いられており、液晶画面の小ささに応じて解像度が低く抑えられている。
【０００５】
このような写真画像とサムネイル画像とを格納した記録メディアが写真プリント装置に装填されると、写真プリント装置によって各画像が一覧表示されるが、その表示画面の大きさの制限や一覧性の観点から各画像を一定の大きさで一覧表示することが一般的に行われている。
すなわち、表示内容が同一な高解像度画像と低解像度画像（サムネイル画像）とが同じ大きさで表示されるため、表示内容から両者を区別することが非常に困難となり、ユーザが誤って低解像度画像を選択して不鮮明な写真をプリントしてしまうという問題が発生している。
【０００６】
ここで、Ｆａｍｉポート（登録商標）やＦｏｏｂｉｏ（登録商標）等では、解像度が基準値以下の画像は一覧表示しないことで上記問題を回避している。しかしながら、この方法では、例えば、携帯電話のカメラ機能で撮った画像などを画質は悪くてもいいからとにかくプリントしたいというような要求に対応できない。
また、特許文献１の発明やＬｅｔ’ｓＰｈｏｔｏ（登録商標）等では、解像度が基準値以下の画像にマークを付ける等することで識別可能にし、ユーザに注意を促している。しかしながら、この方法では表示内容が錯雑となるため、画像選択の妨げになってしまう。
【０００７】
本発明は、上記従来の事情に鑑みなされたものであり、画像を一覧表示するにあたり、自然な表示態様で一覧表示しつつ、低解像度画像を高解像度画像とユーザが誤認する危険性を減らすことを目的としている。特に、画像出力装置で出力対象の写真画像をユーザに選択させるべく表示するにあたり、一覧表示しつつも高解像度画像を容易に識別可能とするを目的としている。
【課題を解決するための手段】
【０００８】
本発明は、画像を表示する画像表示装置、および画像表示装置をコンピュータにより構成するプログラムとして実現される。
本発明の画像表示装置は、記憶手段と、画像特定手段と、グループ化表示手段と、を備えており、記憶手段が、複数の画像を記憶し、画像特定手段が、前記記憶手段に記憶された画像から所定の解像度の基準値より高解像度である画像を特定し、グループ化表示手段が、特定した高解像度の画像を前記記憶手段に記憶された他の画像に優先して一覧表示する。
【０００９】
すなわち、記憶手段に記憶された画像が高解像度のグループとその他（低解像度）のグループとに分類されて、高解像度グループが優先して一覧表示される。
したがって、見た目は従来の一覧表示と同様な自然な表示態様でありながら、高解像度の画像が優先して一覧表示されるため、ユーザが最初に高解像度の画像を認識することとなり、ユーザが低解像度画像（例えばサムネイル画像）を高解像度画像と誤認する危険性を減らすことができる。特に、プリント出力する対象の画像をユーザが選択するために一覧表示することにより、写真プリント作業の利便性を維持しつつ、ユーザが意図しない低解像度画像を写真プリントする危険性を減らすことができる。
【００１０】
高解像度画像の特定は、以下のようにして行うことができる。
例えば、高解像度画像と低解像度画像とで格納フォルダやファイル名を違える等の方式により、記憶手段が高解像度画像と低解像度画像とを分別して記憶している場合には、画像特定手段は、その分別に従って高解像度画像を特定する。
また、例えば、各画像の解像度が予め設定した基準値を上回っているかを判定し、当該基準値を上回る解像度の画像を高解像度画像として特定することができる。
また、これら例示した方法に限らず、高解像度画像を特定できる方法であればよい。
【００１１】
また、画像表示装置に、画像間で互いの表示内容が同一性を有するかを判定する同一性判定手段を更に備え、グループ化表示手段は、同一性判定手段により同一性を有すると判定された画像のうち高解像度の画像を優先して表示することが好ましい。
これにより、例えば、同一被写体の写真を解像度を変更して撮り直した場合であっても、高解像度の画像が優先して表示されるため、例えば、プリント出力の際にユーザは意識せずとも高解像度の画像を選択し、鮮明な写真をプリントすることができる。
なお、画像間の同一性の判定は、例えば、各画像から抽出した色成分に基づくヒストグラム同士を比較して同一性を判定したり、また例えば、各画像から抽出した輪郭線同士を比較して同一性を判定したりといったように、種々の方法により行うことができる。
【００１２】
本発明は、画像を出力する画像出力装置、および画像出力装置をコンピュータにより構成するプログラムとして実現することもできる。
すなわち、画像出力装置が、記憶手段と、画像特定手段と、グループ化表示手段と、を備え、記憶手段が、複数の画像を記憶し、画像特定手段が、前記記憶手段に記憶された画像から所定の解像度の基準値より高解像度である画像を特定し、グループ化表示手段が、特定した高解像度の画像を前記記憶手段に記憶された他の画像に優先して一覧表示し、画像選択受付手段が、一覧表示した画像のうち出力対象とする画像の選択をユーザから受け付け、出力手段が、選択された画像を出力する。
【発明の効果】
【００１３】
本発明によると、画像表示装置で記憶手段に記憶された画像を一覧表示する際に、低解像度画像を高解像度画像とユーザに誤認される危険性を減らすことができる。
【発明を実施するための最良の形態】
【００１４】
本発明を一実施例に基づいて具体的に説明する。
図１には、本発明に係る画像プリント装置１の構成が示してある。
画像プリント装置１は、当該装置に接続されたデジタルカメラや各種記録メディアといった記憶媒体に格納されている画像データに基づいて画像の一覧表示を行い、その中からユーザが選択した画像の写真プリントを行う装置である。
【００１５】
本例では、記憶媒体としてデジタルカメラ２が接続されており、デジタルカメラ２は、画像プリント装置１と接続するための接続部（Ｉ／Ｏ）２１、写真撮影を行うための撮影部２２、撮影された写真の画像データを生成する画像生成部２３、画像データを格納保持する画像メモリ２４、を備えている。
【００１６】
画像生成部２３は、撮影写真の画像データを生成するとともにその画像データの解像度やデータサイズを縮小した縮小画像（いわゆるサムネイル画像）の画像データを生成して画像メモリ２４に格納している。
サムネイル画像は、デジタルカメラ２の液晶画面（図示せず）に撮影写真を表示するために十分な程度に画素数が抑えられた低解像度の画像であり、液晶画面に撮影写真を速やかに表示するため等に利用されている。
【００１７】
画像メモリ２４は、撮影写真の画像データとそのサムネイル画像の画像データとを格納しており、例えば、図２に示すようなフォルダ構成で格納している。
同図によると、ユーザ操作による写真のグループ分けに基づいて、Ｆｏｌｄｅｒ１、Ｆｏｌｄｅｒ２、Ｆｏｌｄｅｒ３の３つのフォルダが設けられており、例えば、Ｆｏｌｄｅｒ１は、４つの画像データ（ＤＳＣＦ０００１．ＪＰＧ〜ＤＳＣＦ０００４．ＪＰＧ）を格納すると共に、そのサブフォルダ（Ｔｈｕｍｂｎａｉｌ）内にこれら画像データに対応するサムネイル画像の画像データ（Ｔｈｕｍｂ００１．ＪＰＧ〜Ｔｈｕｍｂ００４．ＪＰＧ）を格納している。
【００１８】
各画像データは、図３に示すようなデータ構成をしており、画像データを識別する「ＩＤ」、画像データの画像内容を示す「画像データ」、画像データを構成する画素の数である「画素数」、画像データを生成した「日時（撮影日時）」、等の情報により構成されている。
【００１９】
画像プリント装置１は、デジタルカメラ１や各種記録メディアといった画像データが格納された記憶媒体と接続するための接続部（Ｉ／Ｏ）１１、接続された記憶媒体から読み取った画像データを後述する一覧表示やプリント出力のために一旦保持するメモリ１２、メモリ１２内の各画像データに基づいて画像を一覧表示する処理を行う表示処理部１３、画像の一覧表示画面を提示してプリント対象とする画像の選択をユーザから受け付けるユーザ・インタフェース（ＵＩ）１７、選択された画像を写真としてプリント出力するプリント出力部１８、を備えている。
【００２０】
表示処理部１３は、本発明に係る画像表示装置として構成されており、高解像度の画像データを特定する画像特定部１４、画像間で互いの表示内容の同一性を判定する同一性判定部１５、高解像度の画像データを低解像度の画像データに優先して一覧表示するグループ化表示部１６、を備えている。
【００２１】
画像特定部１４は、記憶媒体から読み取ってメモリ１２内に保持している画像データのうちの高解像度の画像データを特定する処理を行う。本例では、メモリ１２内に記憶媒体（デジタルカメラ２の画像メモリ２４）の記録内容をそのままコピーして取り込んでおり、高解像度の画像データと低解像度（サムネイル画像）の画像データとが別々に格納されていることから、その格納位置に従って高解像度の画像データの特定を行っている。具体的には、各Ｔｈｕｍｂｎａｉｌフォルダ内の画像データは全て低解像度であるとみなし、これら以外の画像データを高解像度の画像データと特定する。
なお、高解像度と低解像度とを区切るための基準画素数または基準解像度値を予め設定しておき、画像データの画素数が基準画素数または基準解像度値を上回る場合に高解像度の画像データと特定するようにしてもよい。
【００２２】
同一性判定部１５は、メモリ１２内の高解像度の画像データに基づく画像同士を比較して、画像間で表示内容が同一性を有するかを判定する。本例では、各画像から抽出した輪郭線同士を比較して同一性を判定しているが、他の公知の類似画像判定技術を用いて同一性の判定を行ってもよい。
【００２３】
グループ化表示部１６は、画像特定部１４により高解像度であると特定された画像データに対応する画像を他（低解像度）の画像データに対応する画像に優先して一覧表示した画像選択画面を、ユーザ・インタフェース１７に表示させる。すなわち、ユーザ・インタフェース１７には、高解像度の画像データに対応する画像がまとめて先に一覧表示され、その後に低解像度の画像データに対応する画像が一覧表示される。
なお、本例では、同一性判定部１５により同一性を有すると判定された画像同士のうち、解像度の高い方の画像のみを表示し、同一性を有する画像同士のうち解像度の低い方の画像（及びそのサムネイル画像）は一覧表示から除外しているが、解像度の低い方の画像を表示順を後方にして表示させてもよい。
【００２４】
ユーザ・インタフェース１７は、グループ化表示部１６により画像選択画面が表示されて、記憶媒体（デジタルカメラ２の画像メモリ２４）内の写真画像を一覧形式でユーザに提示してプリント対象の画像の選択をユーザから受け付ける。
プリント出力部１８は、ユーザに選択された画像に対応する画像データをメモリ１２（デジタルカメラ２の画像メモリ２４のコピーデータを保持）から取得し、必要に応じた画像処理を施して写真としてプリント出力する。
【００２５】
なお、本例の画像プリント装置１を構成する画像特定部１４、同一性判定部１５、グループ化表示部１６等の機能手段は、本発明に係るプログラムを実行させることにより構成しているが、専用の回路構成により実現してもよい。
【００２６】
次に、本例の画像プリント装置１による処理動作を説明する。
画像プリント装置１の接続部１１に、デジタルカメラ１や各種記録メディアといった画像データが格納された記憶媒体が接続されると、接続部１１を介して当該記憶媒体に格納されている画像データを読み取り、その画像データのコピーをメモリ１２内に格納する。
そして、表示処理部１３の画像特定部１４が、メモリ１２における画像データの格納位置を参照して、各Ｔｈｕｍｂｎａｉｌフォルダに格納されていない画像データを高解像度の画像データと特定する。また、同一性判定部１５が、高解像度の画像データに基づく各画像から輪郭線を抽出して他の画像のものと比較することで同一性を有する画像の存在を調べ、同一性を有する画像が存在する場合には解像度の低い方の画像を一覧表示の対象外として除外する。
【００２７】
その後、グループ化表示手段１６が、各画像データに基づいて、ユーザ・インタフェース１７の表示領域の大きさに応じて一覧表示用に縮小した縮小画像を生成し、これら各縮小画像のうち画像特定部１４により高解像度と特定された画像データに対応する画像を優先して一覧表示した画像選択画面を、ユーザ・インタフェース１７に表示する。
ユーザが、ユーザ・インタフェース１７に表示された画像選択画面に一覧表示された各画像からプリント対象の画像を選択すると、プリント出力部１８が、選択された画像に対応する画像データをメモリ１２から取得し、写真としてプリント出力する。
【００２８】
次に、本例の画像プリント装置１によりユーザに提示される一覧表示内容を、従来方式による一覧表示内容と比較して説明する。
図４には従来方式により画像を一覧表示した画像選択画面が例示してあり、図５及び図６には本発明に係る方式により画像を一覧表示した画像選択画面が例示してあり、一覧表示している画像の表示順以外はそれぞれ同じ機能を備えている。
【００２９】
画像選択画面には、メモリ１２内の各画像を一定の大きさに縮小した縮小画像を一覧表示する表示部３１、表示部の画像の並び替えを行う並べ替えボタン３２、選択された画像のプリント出力を指示するプリントボタン３３、一覧表示が複数ページに亘る場合にページの切り替えを行うスクロールバー３４、画像選択画面を閉じる終了ボタン３５、が設けられている。
【００３０】
表示部３１に表示している各画像には、説明の便宜のため、（Ａ）〜（Ｌ）及び（ａ）〜（ｌ）の符号を付している。これらのうち、（Ａ）〜（Ｄ）は、図２に示したＦｏｌｄｅｒ１内の画像データ（ＤＳＣＦ０００１．ＪＰＧ〜ＤＳＣＦ０００４．ＪＰＧ）に対応し、（ａ）〜（ｄ）は、そのサブフォルダ（Ｔｈｕｍｂｎａｉｌ）内の画像データ（Ｔｈｕｍｂ００１．ＪＰＧ〜Ｔｈｕｍｂ００２．ＪＰＧ）に対応している。同様に、（Ｅ）〜（Ｈ）及び（ｅ）〜（ｈ）はＦｏｌｄｅｒ２内の画像データ及びそのサブフォルダ内の画像データに対応し、（Ｉ）〜（Ｌ）及び（ｉ）〜（ｌ）はＦｏｌｄｅｒ３内の画像データ及びそのサブフォルダ内の画像データに対応している。すなわち、（Ａ）〜（Ｌ）は高解像度の画像データに基づく画像であり、（ａ）〜（ｌ）は対応する低解像度の画像データに基づく画像である。
【００３１】
従来方式による一覧表示は、例えば、メモリ１２内における画像データの格納順に表示されるため、図２に例示した順番に従って、まず、高解像度の画像（Ａ）〜（Ｄ）が表示され、次に、対応する低解像度の画像（ａ）〜（ｄ）が表示され、以下同様に画像データの格納順どおりに表示されている。すなわち、表示部３１には、高解像度の画像データに対応する画像と低解像度の画像データに対応する画像とが混在して表示される。これら画像はいずれも一定の表示サイズに縮小されているため、見た目からではどちらが高解像度なのかを判別することができず、ユーザが誤って低解像度の方を選択してプリント出力してしまうことになりかねない。
【００３２】
一方、本発明に係る方式による一覧表示は、例えば、図５に示すように、高解像度の画像（Ａ）〜（Ｌ）がまとめて先に一覧表示され、低解像度の画像（ａ）〜（ｌ）はその後に一覧表示される。すなわち、ユーザが先に目にする画像は高解像度のものであるため、ユーザが誤って低解像度の方を選択してしまう危険性が減る。
また、並べ替えボタン３２をクリックして画像の表示順が並べ替えられたとしても、図６に示すように、高解像度の画像群が優先して一覧表示され、その画像群内の各画像が並べ替えられるため、ユーザが誤って低解像度側を選択してしまう危険性が減る。
【００３３】
また、高解像度の画像群と低解像度の画像群とに分類されて表示されているため、例えば、高解像度側の背景色を変える等することで高解像度側の画像を判別しやすくしても、従来のように高解像度の画像と低解像度の画像とが混在しないため、表示が見た目にもすっきりとしたものとなる。
【００３４】
また、同一性を有する画像のうち低解像度の方を一覧表示から除外したので、例えば、同一の被写体について写真撮影した後に解像度を高くして撮影し直した場合のように、同一内容でありながら異なる解像度の画像がある場合には、解像度の高い方の画像のみが表示されるため、ユーザが意識せずとも高解像度側の画像が選択されて鮮明な写真プリントが行える。
【００３５】
このように、本発明によると、高解像度の画像が低解像度の画像に優先して一覧表示されるため、従来の一覧表示と同様な自然な表示態様でありながらも、低解像度画像を高解像度画像とユーザに誤認される危険性を減らすことができる。特に、画像プリント装置でのプリント対象の画像をユーザに選択させるための一覧表示に適用することで、写真プリント作業の利便性を損なうことなく、ユーザが意図しない低解像度画像を写真プリントする危険性を減らすことができる。
【図面の簡単な説明】
【００３６】
【図１】本発明の一実施例に係る画像プリント装置の構成を説明する図である。
【図２】本発明の一実施例に係る記録メディアの画像データ格納例を示す図である。
【図３】本発明の一実施例に係る写真画像のデータ構成を説明する図である。
【図４】従来方式による画像の一覧表示を説明する図である。
【図５】本発明の一実施例に係る画像の一覧表示を説明する図である。
【図６】本発明の一実施例に係る画像の一覧表示を説明する図である。
【符号の説明】
【００３７】
１１：接続部（Ｉ／Ｏ）、  １２：メモリ、
１３：表示処理部、  １４：画像特定部、
１５：同一性判定部、  １６：グループ化表示部、
１７：ユーザ・インタフェース（ＵＩ）、  １８：プリント出力部
【図１】
2007311885.tif 000003
【図２】
2007311885.tif 000004
【図３】
2007311885.tif 000005
【図４】
2007311885.tif 000006
【図５】
2007311885.tif 000007
【図６】
2007311885.tif 000008